(57)【要約】【課題】光ファイバ接続部の位置決め精度を向上させることが可能な光トランシーバ、光トランシーバ付き基板、及び、光通信機器を提供する。【解決手段】光トランシーバ１０は、光ファイバが接続される光ファイバ接続部１２と、光ファイバ接続部１２が取り付けられ、光電変換素子が実装される第１回路基板２０と、一端側が第１回路基板２０に接続され、他端側が外部に接続される端子と、第１回路基板２０及び端子が組み付けられるハウジング本体部３４と、を備え、光ファイバ接続部１２及びハウジング本体部３４の少なくとも一方側は、他方側に当接して光ファイバ接続部１２を位置決め状態で保持する第１リブ１７Ｄを有する。【選択図】図７
2014021448.tif 000002
【特許請求の範囲】
【請求項１】
光ファイバが接続される光ファイバ接続部と、
前記光ファイバ接続部が取り付けられ、光電変換素子が実装される第１回路基板と、
一端側が前記第１回路基板に接続され、他端側が外部に接続される端子と、
前記第１回路基板及び前記端子が組み付けられるハウジング本体部と、を備え、
前記光ファイバ接続部及び前記ハウジング本体部の少なくとも一方側は、他方側に当接して前記光ファイバ接続部を位置決め状態で保持する位置決め保持部を有する光トランシーバ。
【請求項２】
前記位置決め保持部は、前記光ファイバ接続部の曲面状の外周面及び当該外周面に嵌合する前記ハウジング本体部の少なくとも一方側から突出し、他方側に押し付けられる第１リブである請求項１に記載の光トランシーバ。
【請求項３】
前記光ファイバ接続部は、嵌入溝を備え、
前記ハウジング本体部は、前記嵌入溝に嵌め入れられる位置固定壁を備え、
前記位置決め保持部は、互いに対向する前記光ファイバ接続部及び前記位置固定壁の少なくとも一方側に備えられて他方側に押し付けられる第２リブである請求項１又は請求項２に記載の光トランシーバ。
【請求項４】
前記光ファイバ接続部は、前記第１回路基板に固定される基板固定部を備え、
前記ハウジング本体部の内壁と前記基板固定部の側面とは互いに対向配置されており、
前記ハウジング本体部の内壁及び前記基板固定部の側面の少なくとも一方側は、他方側に押し付けられる第３リブを備える請求項１ないし請求項３のいずれか一項に記載の光トランシーバ。
【請求項５】
前記光ファイバ接続部は、多角形の鍔状に突出するフランジ部を有し、
前記位置決め保持部は、前記フランジ部を位置決め状態で保持する請求項１ないし請求項４のいずれか一項に記載の光トランシーバ。
【請求項６】
前記ハウジング本体部を覆う蓋部を備え、
前記位置決め保持部は、前記蓋部に設けられ、前記フランジ部を押さえて前記光ファイバ接続部を位置決め状態に保持する押さえ部である請求項５に記載の光トランシーバ。
【請求項７】
請求項１ないし請求項６のいずれか一項に記載の光トランシーバと、前記端子の他端側が接続される第２回路基板と、を備えた光トランシーバ付き基板。
【請求項８】
請求項７に記載の光トランシーバ付き基板がケースに収容されてなる光通信機器。
【発明の詳細な説明】
【技術分野】
【０００１】
本発明は、光トランシーバ、光トランシーバ付き基板、及び、光通信機器に関する。
【背景技術】
【０００２】
従来より、光トランシーバとして、例えば下記特許文献１に記載のものがある。この特許文献１の光トランシーバは、光ファイバのフェルールが接続される係合部を有する発光モジュール及び受光モジュールが配線基板に取り付けられて固定されている。
【０００３】
この発光モジュール及び受光モジュールは、相手側の光コネクタプラグに接続され、光ファイバ間の光学的な結合が行われる。
【先行技術文献】
【特許文献】
【０００４】
【特許文献１】特開２００３−１３３６３１号公報
【発明の概要】
【発明が解決しようとする課題】
【０００５】
ところで、光ファイバ間の光学的な結合を良好に行うためには、光ファイバが接続される部分（光ファイバ接続部）が確実に位置決めされている必要がある。
【０００６】
特許文献１の構成では、発光モジュール及び受光モジュールが配線基板に対して固定されているが、光学的結合を良好にするために、更に位置決め精度を向上させることが望ましい。
【０００７】
本発明は上記のような事情に基づいて完成されたものであって、光ファイバ接続部の位置決め精度を向上させることが可能な光トランシーバ、光トランシーバ付き基板、及び、光通信機器を提供することを目的とする。
【課題を解決するための手段】
【０００８】
本発明の光トランシーバは、光ファイバが接続される光ファイバ接続部と、前記光ファイバ接続部が取り付けられ、光電変換素子が実装される第１回路基板と、一端側が前記第１回路基板に接続され、他端側が外部に接続される端子と、前記第１回路基板及び前記端子が組み付けられるハウジング本体部と、を備え、前記光ファイバ接続部及び前記ハウジング本体部の少なくとも一方側は、他方側に当接して前記光ファイバ接続部を位置決め状態で保持する位置決め保持部を有する。
【０００９】
本構成によれば、光ファイバ接続部及びハウジング本体部の少なくとも一方側は、他方側に当接して光ファイバ接続部を位置決め状態で保持する位置決め保持部を有するため、光ファイバ接続部の位置決め精度を向上させることが可能となる。
【００１０】
上記構成の実施態様として以下の構成を有すれば好ましい。
・前記位置決め保持部は、前記光ファイバ接続部の曲面状の外周面及び当該外周面に嵌合する前記ハウジング本体部の少なくとも一方側から突出し、他方側に押し付けられる第１リブである。
このようにすれば、簡素な構成で光ファイバ接続部を位置決め状態で保持することができる。
【００１１】
・前記光ファイバ接続部は、嵌入溝を備え、前記ハウジング本体部は、前記嵌入溝に嵌め入れられる位置固定壁を備え、前記位置決め保持部は、互いに対向する前記光ファイバ接続部及び前記位置固定壁の少なくとも一方側に備えられて他方側に押し付けられる第２リブである。
このようにすれば、簡素な構成で光ファイバ接続部を位置決め状態で保持することができる。
【００１２】
・前記光ファイバ接続部は、前記第１回路基板に固定される基板固定部を備え、前記ハウジング本体部の内壁と前記基板固定部の側面とは互いに対向配置されており、前記ハウジング本体部の内壁及び前記基板固定部の側面の少なくとも一方側は、他方側に押し付けられる第３リブを備える。
このようにすれば、第１回路基板が固定される基板固定部の構成を利用して光ファイバ接続部を位置決め状態で保持することができる。
【００１３】
・前記光ファイバ接続部は、多角形の鍔状に突出するフランジ部を有し、前記位置決め保持部は、前記フランジ部を位置決め状態で保持する。
このようにすれば、フランジ部を光ファイバ接続部の位置決めに利用するため、光ファイバ接続部の位置決めが容易になる。また、円形状のフランジ部を位置決め状態で保持する場合と比較して光ファイバ接続部のガタつきを抑制することが容易になる。
【００１４】
・前記ハウジング本体部を覆う蓋部を備え、前記位置決め保持部は、前記蓋部に設けられ、前記フランジ部を押さえて前記光ファイバ接続部を位置決め状態に保持する押さえ部である。
このようにすれば、蓋部を利用して光ファイバ接続部を位置決め状態で保持することが可能になる。また、多角形のフランジ部を押さえるため、円形状のフランジ部を押さえる場合と比較して確実に光ファイバ接続部のガタつきを抑制することが容易になる。
【００１５】
・上記いずれかの光トランシーバと、前記端子の他端側が接続される第２回路基板と、を備えた光トランシーバ付き基板とする。
・前記光トランシーバ付き基板がケースに収容されてなる光通信機器とする。
【発明の効果】
【００１６】
本発明によれば、光ファイバ接続部の位置決め精度を向上させることが可能となる。
【図面の簡単な説明】
【００１７】
【図１】実施形態１の光トランシーバを備えた光トランシーバ付き基板を示す断面図
【図２】図１のＡ−Ａ断面図
【図３】仮組み状態の光モジュール及び端子モジュールを表す平面図
【図４】仮組み状態の光モジュール及び端子モジュールを示す側面図
【図５】ハウジング本体部を表す平面図
【図６】ハウジング本体部に光モジュール及び端子モジュールが収容された状態を示す平面図
【図７】光モジュール及び端子モジュールとを仮組み状態に組み付ける様子を示す斜視図
【図８】仮組み状態の光モジュール及び端子モジュールをハウジング本体部に組み付ける様子を示す斜視図
【図９】仮組み状態の光モジュール及び端子モジュールをハウジング本体部に組み付ける様子を示す側面図
【図１０】光モジュール及び端子モジュールをハウジング本体部に組み付けた状態を示す側面図
【図１１】ハウジング本体部に蓋部を被せる様子を示す斜視図
【図１２】ハウジングにシールド部材を装着する様子を示す斜視図
【図１３】光トランシーバを示す斜視図
【発明を実施するための形態】
【００１８】
＜実施形態１＞
実施形態１について、図１〜図１３を参照しつつ詳細に説明する。
本実施形態における光トランシーバ１０は、自動車等の車両に搭載されるものであり、図１に示すように、光ファイバが接続される光モジュール１１と、光モジュール１１に接続される複数本の端子２３を有する端子モジュール２２と、光モジュール１１及び端子モジュール２２が組み付けられるハウジング本体部３４と、を備えている。この光トランシーバ１０に第２回路基板４８が装着された光トランシーバ付き基板４９は、ケース５０内に収容されて光通信機器を構成する。以下では、上下方向について図１を基準とし、図１における左方（相手側コネクタとの嵌合方向）を前方、右方を後方として説明する。
【００１９】
光モジュール１１は、光ファイバが接続される光ファイバ接続部１２と、光ファイバ接続部１２の後方に配された第１回路基板２０とを備えている。
光ファイバ接続部１２は、光透過性を有する合成樹脂（例えば、ポリエーテルイミド（ＰＥＩ）、ポリカーボネート（ＰＣ）、ポリメタクリル酸メチル樹脂（ＰＭＭＡ））の成形物であり、光ファイバの端部に外嵌されたフェルールが挿入可能な略円筒形状の一対のスリーブ部１３，１３と、光ファイバの軸線の延長上に配された一対のレンズ部１４，１４と、第１回路基板２０及びハウジング３３に固定される被固定部１５とが一体に成形されている。
【００２０】
各スリーブ部１３，１３は、互いに同一形状であって、同じ高さ位置に配されており、先端部に外部のフェルールを装着可能な装着凹部１３Ａ，１３Ａが形成されている。
【００２１】
各スリーブ部１３の外周面には、図７に示すように、４個（複数）の肉抜き部１３Ｂが周方向における所定間隔（所定角度（本実施形態では、９０度））ごとに形成されている。各肉抜き部１３Ｂは、スリーブ部１３の外周面を略直角に切欠いた形状とされている。これにより、この肉抜き部１３Ｂの位置のスリーブ部１３の断面は、上下左右に十字をなしている。
【００２２】
レンズ部１４，１４は、図１に示すように、共に各スリーブ部１３の軸線上に設けられ、第１回路基板２０に実装されている各光電変換素子と対向している。これにより、一方のレンズ部１４が発光素子から出射された光を光ファイバの端面に集光させ、他方のレンズ部１４が光ファイバからの光を受光素子に集光させる。
【００２３】
被固定部１５は、スリーブ部１３の後方に連なりハウジング本体部３４に固定されるハウジング固定部１７と、ハウジング固定部１７の後方に連なり第１回路基板２０に固定される基板固定部１６と、を有する。
【００２４】
ハウジング固定部１７は、図７に示すように、外方へ鍔状に突出するフランジ部１７Ａと、円形曲面状の外周面を有する曲面部１８と、を備えており、フランジ部１７Ａの後方に隣接する部分は、ハウジング本体部３４の位置固定壁３７が嵌め入れられる嵌入溝１７Ｃとされている。
フランジ部１７Ａは、その外形が左右方向（スリーブ部の並び方向）に長い長方形の板状であって、一対のスリーブ部１３の基端部間に亘って形成されている。
【００２５】
フランジ部１７Ａの上端は、幅方向の全体に亘って水平であって、一対のスリーブ部１３の上端位置と等しくなっている。即ち、フランジ部１７Ａは、上方側については、一対のスリーブ部１３の上方に突出していない。
一方、フランジ部１７Ａの下方側は、一対のスリーブ部１３の下端位置よりも下方に突出している。
【００２６】
曲面部１８は、その上端がフランジ部１７Ａの上端１９と共に後述する蓋部４１で押さえられる被押さえ部１７Ｂとされ、そこから下方側にハウジング本体部３４の位置固定壁３７が圧入される嵌入溝１７Ｃが設けられている。
曲面部１８（嵌入溝１７Ｃの溝底）には、周方向に延びる第１リブ１７Ｄ（「位置決め保持部」の一例）が形成されている。
第１リブ１７Ｄは、曲面部１８のうち外側面である略半周に設けられている。
【００２７】
光ファイバ接続部１２の後端部には、図１に示すように、凹部が形成されており、この凹部には、金属板材を所定の形状にプレス加工してなる内部シールド１５Ａが装着されている。
【００２８】
基板固定部１６は、左右方向に長い長方形の板状であって、第１回路基板２０の略下半分が取り付けられて固定されている。
基板固定部１６の前面における曲面部１８の側方には、図７に示すように、上下方向に延びる一対の第２リブ１６Ａ（「位置決め保持部」の一例）が形成されるとともに、左右の側面には、上下方向に延びる第３リブ１６Ｂ（「位置決め保持部」の一例）が形成されている。
【００２９】
第２リブ１６Ａは、フランジ部１７Ａの側端縁に沿うように基板固定部１６の上端から下端に亘って設けられており、位置固定壁３７が嵌入溝１７Ｃに圧入されて嵌め入れられると、第２リブ１６Ａが位置固定壁３７の背面に押し付けられる。
【００３０】
第３リブ１６Ｂは、基板固定部１６の側面の中央部寄りの位置において上下方向に所定の長さで形成されている。
【００３１】
第１リブ１７Ｄ，第２リブ１６Ａ及び第３リブ１６Ｂは、光ファイバ接続部１２（光モジュール１１）がハウジング本体部３４に嵌め入れられた際に、ハウジング本体部３４の内壁（及び蓋部４１の底面）に押し付けられて食い込むことで、光ファイバ接続部１２を位置決め状態に保持するものであり、光ファイバ接続部１２のがた付きを防止できる程度の突出寸法、各リブの幅寸法、及び、強度で形成されている。
【００３２】
なお、基板固定部１６の第１回路基板２０への固定は、接着やネジ留め、第１回路基板２０への係止等の公知の固定手段により固定することができる。
【００３３】
第１回路基板２０は、プリント配線技術により形成された導電路（図示しない）と、この導電路を通るように設けられた多数のスルーホール２１とを有し、光モジュール１１がハウジング本体部３４に嵌め入れられた際には、ハウジング本体部３４の底壁３３Ａに対して略垂直に起立した姿勢とされている。これにより、第１回路基板２０の板面は光ファイバ接続部１２の延出方向（前後方向）に対して略直交する（交差する）角度となっている。
【００３４】
第１回路基板２０は、光電変換素子（図示しない）が実装されて光電変換回路を構成している。
光電変換素子としては、電気信号を光信号に変換する発光素子（ＶＣＳＥＬ：Ｖｅｒｔｉｃａｌ  Ｃａｖｉｔｙ  Ｓｕｒｆａｃｅ  Ｅｍｉｔｔｉｎｇ  ＬＡＳＥＲ）と、光信号を電気信号に変換する受光素子（フォトダイオード）とを備えている。一枚の第１回路基板２０に受光素子および発光素子の両方を実装することで、第１回路基板２０の小型化が図られている。
【００３５】
スルーホール２１は、円形状であって、第１回路基板２０の導電路に電気的に接続されており、内面にスズメッキ等からなるメッキ２１Ａが形成されており、端子２３の前端側（一端側）が挿通されて接続される。
【００３６】
端子モジュール２２は、複数の端子２３が合成樹脂製の端子保持部２９に保持されている。
端子２３は、Ｌ字形状に屈曲された細長い角形の棒状をなし、前端側（一端側）にスルーホール２１に挿通される挿通部２４を有している。
【００３７】
挿通部２４がスルーホール２１に挿通されて半田付けされると、端子２３とスルーホール２１とが電気的に接続される。
【００３８】
各端子２３には、ハウジング本体部３４に圧入する際の挿入深さを位置決めする段差状に左右に突出した位置決め部２６と、圧入孔４０の内壁面に食い込んで圧入される食い込み部２７とが設けられている。
【００３９】
なお、端子２３の下端側（他端側）は、ハウジング本体部３４の底壁３３Ａを貫通して下方に突出し、第２回路基板４８のスルーホールに挿通されて第２回路基板４８の導電路と接続される外部接続部２８とされている。
【００４０】
端子保持部２９は、長方形の板状であって、全ての端子２３を一括して保持するものであり、各端子２３が圧入される圧入穴３０が形成されている。
端子保持部２９には、ハウジング本体部３４に係止する係止片３１が形成されている。係止片３１は、端子保持部２９の左右の端部における略下側半分から側方に矩形状に突出している。
【００４１】
ハウジング本体部３４は、合成樹脂製であり、図１１に示すように、上側に開口した略箱型をなしており、相手側の光コネクタが前方から嵌合されるフード部３５と、光モジュール１１及び端子２３が上方から収容される収容部３６とを備え、ハウジング本体部３４の上方側に蓋部４１が被せられてハウジング３３が構成される。
【００４２】
フード部３５は角筒状をなし、その上壁には、相手側の光コネクタを案内する一対の案内突部３５Ａが内側に向けて突出して設けられている。
収容部３６には、図８に示すように、光ファイバ接続部１２の嵌入溝１７Ｃ内に圧入されて光ファイバ接続部１２の組み付け位置を固定する位置固定壁３７と、端子２３が圧入固定される端子固定部３９とが設けられている。
【００４３】
位置固定壁３７は、ハウジング本体部３４の底壁３３Ａに立設されており、収容部３６内を前後に仕切っている。
位置固定壁３７は、上端部（先端部）に、上方から嵌め入れられる光ファイバ接続部１２の外周形状に応じて円弧状に凹み形成された凹状部３７Ａを有する。
【００４４】
端子固定部３９は、収容部３６の後端側において、ハウジング本体部３４の底壁３３Ａを厚肉とした部分に設けられている。
端子固定部３９には、端子２３を圧入固定可能な圧入孔４０が、複数列、複数段並んで形成されている。各圧入孔４０は略方形をなし、端子固定部３９を上下方向に貫通している。
【００４５】
蓋部４１は、図１１に示すように、長方形状の板状部材の略後半部分に開口部４１Ａを有しており、ハウジング本体部３４に蓋部４１を被せた状態において開口部４１Ａから第１回路基板２０及び端子２３が露出する。
【００４６】
また、蓋部４１の底面側には、図１に示すように、光ファイバ接続部１２を上方側から押さえる押さえ部４２（「位置決め保持部」の一例）と、圧入凸部（図示しない）とが設けられている。押さえ部４２は、蓋部４１の底面から下方に突出する壁状をなしており、フランジ部１７Ａの上端１９を含む被押さえ部１７Ｂを上方から下方に押さえる。
圧入凸部は、ハウジング本体部３４の側壁の上端部に設けられた圧入凹部３４Ａに圧入されることにより、蓋部４１が光ファイバ接続部１２を下方に押さえつつ蓋部４１が閉じた状態に保持する。
【００４７】
ハウジング本体部３４の左右の側壁には、図１１に示すように、端子保持部２９の係止片３１を内側に係止可能であって、上方側が開放された係止部４６がハウジング本体部３４の両側壁に形成されている。係止部４６の前後方向の寸法は、係止片３１の厚み寸法に比して所定のクリアランスを有する寸法とされている。  また、係止部４６の上部は、上方に向かって傾斜状に拡径された傾斜部４６Ａとされている。
【００４８】
ハウジング３３の外側には、図１２に示すように、フード部３５を除いた部分を覆うように、シールド部材４３が取り付けられる。シールド部材４３は、金属板材を所定形状にプレス加工したものであり、その前面と下面とが開放されている。
【００４９】
シールド部材４３は、下端縁に設けられた爪部４４がハウジング３３の下面側に折り返されることによって、シールド部材４３がハウジング３３に組み付けられた状態に保持される。また、シールド部材４３の下端部には、下方に向かって突出するように設けられた複数の接続脚部４５が形成されている。この接続脚部４５は、第２回路基板４８に貫通されて、はんだ付け等の公知の手法によって第２回路基板４８の導電路に接続される。
【００５０】
次に、光トランシーバ１０の製造方法の一例を説明する。
光ファイバ接続部１２を第１回路基板２０に取り付け、光モジュール１１を形成する。
また、全ての端子２３を下端側から端子保持部２９に圧入し、端子モジュール２２を形成する（図７）。
【００５１】
次に、第１回路基板２０の複数のスルーホール２１に端子モジュール２２の全ての端子２３の挿通部２４を前端側（一端側）から挿入して仮組み状態とする。
【００５２】
次に、仮組み状態の光モジュール１１及び端子モジュール２２を、ハウジング本体部３４に組み付ける組み付け工程を行う。この組み付け工程では、各端子２３の他端側を端子固定部３９の圧入孔４０にそれぞれ圧入し、光ファイバ接続部１２の嵌入溝１７Ｃに位置固定壁３７を圧入する（図１１）。
【００５３】
また、位置固定壁３７が嵌入溝１７Ｃに圧入されると、第２リブ１６Ａが位置固定壁３７の背面に押し付けられて潰れるようにやや食い込み、第３リブ１６Ｂはハウジング本体部３４の内壁に押し付けられて潰れるようにやや食い込む。
【００５４】
次に、ハウジング本体部３４に蓋部４１を被せていくと、まず最初に蓋部４１の押さえ部４２がフランジ部１７Ａの上端１９を含む被押さえ部１７Ｂに当接するとともに、蓋部４１の圧入凸部がハウジング本体部３４の圧入凹部３４Ａに圧入され、光ファイバ接続部１２の被押さえ部１７Ｂが蓋部４１の押さえ部４２により下方に押え付けられた状態となる（図１，図２参照）。
このとき、曲面部１８が位置固定壁３７の凹状部３７Ａに押し付けられて第１リブ１７Ｄが潰れるようにやや凹状部３７Ａに食い込む。
【００５５】
そして、各端子２３の挿通部２４をスルーホール２１半田付けする。この半田付け作業は、例えば、半田付け用の工具等を開口部４１Ａに通して行えばよい。
なお、挿通部２４のスルーホール２１への半田付けを、光モジュール１１及び端子モジュール２２をハウジング本体部３４に組み付ける前に行ってもよく、この場合、半田付けにより連結された光モジュール１１及び端子モジュール２２がハウジング本体部３４に組み付けられる。
【００５６】
次に、シールド部材４３を取り付ける（図１２）。シールド部材４３をハウジング３３に外嵌し、爪部４４をハウジング３３の下面側に折ることでシールド部材４３をハウジング３３に組み付ける。これにより、光トランシーバ１０の組み付けが完了する（図１３）。
【００５７】
そして、光トランシーバ１０の下方に第２回路基板４８を装着し、端子２３の他端側の外部接続部２８を第２回路基板４８のスルーホールにフロー半田付け等により半田付けして光トランシーバ付き基板４９を形成する（図１）。また、光トランシーバ付き基板４９をケース５０に収容して光通信機器が形成される。
【００５８】
上記実施形態によれば、以下の作用・効果を奏する。
（１）本実施形態によれば、光ファイバ接続部１２及びハウジング本体部３４の少なくとも一方側は、他方側に当接して光ファイバ接続部１２を位置決め状態で保持する第１リブ１７Ｄ，第２リブ１６Ａ，第３リブ１６Ｂ及び押さえ部４２（位置決め保持部）を有するため、光ファイバ接続部１２の位置決め精度を向上させることが可能となる。
【００５９】
（２）位置決め保持部は、光ファイバ接続部１２の曲面状の外周面及び当該外周面に嵌合するハウジング本体部３４の少なくとも一方側から突出し、他方側に押し付けられる第１リブ１７Ｄである。
このようにすれば、簡素な構成で光ファイバ接続部１２を位置決め状態で保持することができる。
【００６０】
（３）光ファイバ接続部１２は、嵌入溝１７Ｃを備え、ハウジング本体部３４は、嵌入溝１７Ｃに嵌め入れられる位置固定壁３７を備え、位置決め保持部は、互いに対向する光ファイバ接続部１２及び位置固定壁３７の少なくとも一方側に備えられて他方側に押し付けられる第２リブ１６Ａである。
このようにすれば、簡素な構成で光ファイバ接続部１２を位置決め状態で保持することができる。
【００６１】
（４）光ファイバ接続部１２は、第１回路基板２０に固定される基板固定部１６を備え、ハウジング本体部３４の内壁と基板固定部１６の側面とは互いに対向配置されており、ハウジング本体部３４の内壁及び基板固定部１６の側面の少なくとも一方側は、他方側に押し付けられる第３リブ１６Ｂを備える。
このようにすれば、第１回路基板２０が固定される基板固定部１６の構成を利用して光ファイバ接続部１２を位置決め状態で保持することができる。
【００６２】
（５）光ファイバ接続部１２は、多角形の鍔状に突出するフランジ部１７Ａを有し、位置決め保持部は、フランジ部１７Ａを位置決め状態で保持する。
このようにすれば、フランジ部１７Ａを光ファイバ接続部１２の位置決めに利用するため、光ファイバ接続部１２の位置決めが容易になる。また、円形状のフランジ部１７Ａを位置決め状態で保持する場合と比較して光ファイバ接続部１２のガタつきを抑制することが容易になる。
【００６３】
（６）ハウジング本体部３４を覆う蓋部４１を備え、位置決め保持部は、蓋部４１に設けられ、フランジ部１７Ａを押さえて光ファイバ接続部１２を位置決め状態に保持する押さえ部４２である。
このようにすれば、蓋部４１を利用して光ファイバ接続部１２を位置決め状態で保持することが可能になる。また、多角形のフランジ部１７Ａを押さえるため、円形状のフランジ部１７Ａを押さえる場合と比較して確実に光ファイバ接続部１２のガタつきを抑制することが容易になる。
【００６４】
＜他の実施形態＞
本発明は上記記述及び図面によって説明した実施形態に限定されるものではなく、例えば次のような実施形態も本発明の技術的範囲に含まれる。
（１）上記実施形態では、第１リブ１７Ｄ，第２リブ１６Ａ，第３リブ１６Ｂ、及び、押さえ部４２により、光ファイバ接続部１２を位置決め状態で保持する構成としたが、これに限られない。例えば、これらに代えて、又は、これらと共に光ファイバ接続部１２を位置決め状態で保持可能なリブや凸部等を設けるようにしてもよい。
【００６５】
（２）上記実施形態では、フランジ部１７Ａは、長方形状としたが、これに限られず、長方形以外の多角形状としてもよい。
（３）上記実施形態では、第１リブ１７Ｄ，第２リブ１６Ａ，第３リブ１６Ｂは、光ファイバ接続部１２に設けられたが、これに限らず、ハウジング本体部３４側にリブを設け、光ファイバ接続部１２側に押し付けて光ファイバ接続部１２を位置決め状態で保持するようにしてもよい。
【符号の説明】
【００６６】
１０…光トランシーバ
１１…光モジュール
１２…光ファイバ接続部
１３…スリーブ部 
１５…被固定部
１５Ａ…内部シールド部
１６…基板固定部
１６Ａ…第２リブ（位置決め保持部）
１６Ｂ…第３リブ（位置決め保持部）
１７Ａ…フランジ部
１７Ｂ…被押さえ部
１７Ｃ…嵌入溝
１７Ｄ…第１リブ（位置決め保持部）
１８…曲面部
１９…フランジ部の上端
２０…第１回路基板
２１…スルーホール
２２…端子モジュール
２３…端子
２４…挿通部
２６…位置決め部
２７…食い込み部
２８…外部接続部
２９…端子保持部
３１…係止片
３３…ハウジング
３３Ａ…底壁
３４…ハウジング本体部
３６…収容部
３７…位置固定壁
３７Ａ…凹状部
３８…圧入凹部
３９…端子固定部
４０…圧入孔
４１…蓋部
４２…押さえ部（位置決め保持部）
４３…シールド部材
４６…係止部
４８…第２回路基板
４９…光トランシーバ付き基板
５０…ケース
【図１】
2014021448.tif 000003
【図２】
2014021448.tif 000004
【図３】
2014021448.tif 000005
【図４】
2014021448.tif 000006
【図５】
2014021448.tif 000007
【図６】
2014021448.tif 000008
【図７】
2014021448.tif 000009
【図８】
2014021448.tif 000010
【図９】
2014021448.tif 000011
【図１０】
2014021448.tif 000012
【図１１】
2014021448.tif 000013
【図１２】
2014021448.tif 000014
【図１３】
2014021448.tif 000015